(57)【特許請求の範囲】
【請求項１】
本体部と、
前記本体部の上面に回動自在に取り付けられ、第１の表示画面を有する第１の表示部と、
前記第１の表示部の一端に回動自在に取り付けられ、第２の表示画面を有し、前記第１の表示部の表示画面に対して前記第２の表示画面を対向自在な第２の表示部と、
前記第１の表示部の他端に回動自在に取り付けられ、第３の表示画面を有し、前記第１の表示部の背面に対して前記第３の表示部の背面を対向自在な第３の表示部と、
前記第１の表示部の回動に応じて前記第２及び第３の表示部を回動させる駆動機構を備え、
前記第１の表示部は、
第２の表示画面が前記第１の表示画面に対向するように前記第２の表示部が折り畳まれ、前記第３の表示部の背面が前記第１の表示画面の背面に対向するように前記第３の表示部が折り畳まれた状態で、前記第３の表示画面が前記本体部の上面に対向するように折り畳み可能であり、
前記駆動機構は、前記第１の表示部が傾倒して開状態から閉状態になる場合に、前記第２及び第３の表示部を各々折り畳み方向に前記第１の表示部の傾動スピードよりも高速に回動させる
ことを特徴とする表示機能付き電子機器。
【請求項２】
前記第１、第２及び第３の表示部で構成される前記表示手段の表示画面の縦横比が９：１６であることを特徴とする請求項１に記載の表示機能付き電子機器。
【請求項３】
前記本体部は、
情報投影手段を有し、
前記表示部に映像情報を投影することを特徴とする請求項１に記載の表示機能付き電子機器。
【発明の詳細な説明】
【０００１】
【発明の属する技術分野】
この発明は、液晶ディスプレイ等の表示手段が収納可能に設けられたＤＶＤ（Digital Versatile Disc）プレーヤ等に適用して好適な表示機能付き電子機器に関する。
【０００２】
詳しくは、情報を表示する表示画面を前面に有した表示手段を本体部に設け、この表示手段を折り畳むと共に、その表示画面が露出しないよう保護されて本体部にて収納されるようにして、本体部に対する表示画面の大型化を実現できるようにするものである。
【０００３】
【従来の技術】
近年、電子機器に表示装置が取り付けられた表示機能付き電子機器が人気を博している。例えば、液晶ディスプレイ（Liquid Crystal Display；以下、ＬＣＤという。）が設けられた、ＤＶＤ（Didital Versatile Disc）プレーヤ及びノート型のパーソナルコンピュータ（Personal Computer）等がその一例である。
【０００４】
従来方式に係るＬＣＤ付きＤＶＤプレーヤは、例えばＤＶＤを再生するための本体部を有し、その上面にはＬＣＤが開閉自在に設けられている。このＬＣＤは本体部上面と対向する面に、再生された情報を表示するための表示画面を有しており、且つＬＣＤは本体部上面からはみ出さないサイズとなされている。そして、使用時にはＬＣＤを本体部に対して開状態とし、未使用時にはＬＣＤを本体部に対して閉状態とするようになされている。
【０００５】
【発明が解決しようとする課題】
ところで、従来方式に係るＬＣＤ付きＤＶＤプレーヤによれば、開閉自在なＬＣＤのサイズを本体部上面よりも小さくすることで表示画面の保護及び電子機器のコンパクト化が図られている。
【０００６】
しかしながら、表示画面大型化の要求に応えようとすると、本体部自体も大きくしなければならず、コンパクト化を妨げてしまうといった問題がある。また、ＬＣＤのみを大きくすると、ＬＣＤの閉状態時において本体部上面から表示画面がはみ出してしまい表示画面の保護に欠けるといった問題も惹起する。
【０００７】
そこで本発明は、上述の課題を解決するために創作されたものであり、従来機能を維持しつつ、本体部に対する表示画面を大型に構成できるようにした表示機能付き電子機器を提供することを目的とする。
【０００８】
【課題を解決するための手段】
上述の課題を解決するため、本発明は、本体部と、前記本体部の上面に回動自在に取り付けられ、第１の表示画面を有する第１の表示部と、前記第１の表示部の一端に回動自在に取り付けられ、第２の表示画面を有し、前記第１の表示部の表示画面に対して前記第２の表示画面を対向自在な第２の表示部と、前記第１の表示部の他端に回動自在に取り付けられ、第３の表示画面を有し、前記第１の表示部の背面に対して前記第３の表示部の背面を対向自在な第３の表示部と、前記第１の表示部の回動に応じて前記第２及び第３の表示部を回動させる駆動機構を備え、前記第１の表示部は、第２の表示画面が前記第１の表示画面に対向するように前記第２の表示部が折り畳まれ、前記第３の表示部の背面が前記第１の表示画面の背面に対向するように前記第３の表示部が折り畳まれた状態で、前記第３の表示画面が前記本体部の上面に対向するように折り畳み可能であり、前記駆動機構は、前記第１の表示部が傾倒して開状態から閉状態になる場合に、前記第２及び第３の表示部を各々折り畳み方向に前記第１の表示部の傾動スピードよりも高速に回動させることを特徴とする。
【０００９】
本発明によれば、情報を表示するための表示画面を有した表示手段が折り畳まれると共に、その表示画面が露出しないように保護されて本体部にて収納されるので、本体部より大きい表示手段であっても、表示画面を保護しつつ本体部に収納することができる。
【００１０】
従って、電子機器のコンパクト化及び表示画面の保護といった従来機能を維持しつつ、本体部に対する表示画面の大型化を実現できる。
【００１１】
【発明の実施の形態】
以下、図面を参照しながら本発明に係る表示機能付き電子機器の一実施の形態について詳細に説明する。
【００１２】
（１）第１実施形態
図１は本発明に係る第１実施形態としての表示機能付き電子機器の構成例を示す斜視図である。この実施形態では、情報を表示する表示画面を有した表示手段を本体部に設け、この表示手段を折り畳むと共に、その表示画面が露出しないよう保護されて本体部にて収納されるようにして、本体部に対する表示画面の大型化を実現できるようにするものである。
【００１３】
この発明は、例えば液晶ディスプレイ（Liquid Crystal Display；以下、ＬＣＤという。）が開閉自在に設けられたDigital Versatile Discプレーヤ（以下、ＤＶＤプレーヤという。）等の表示機能付き電子機器に適用して極めて好適な、図１に示すＬＣＤ付きＤＶＤプレーヤ１００である。このＬＣＤ付きＤＶＤプレーヤ１００は矩形状の本体部１０を有し、その底面には台座１１が設けられている。
【００１４】
この本体部１０の上面にはディスク再生装置１２が埋設されており、このディスク再生装置１２でＤＶＤやＣＤ（Compact Disc）等の光ディスクが再生される。また本体部１０の前面、及び上面の一部には操作部１３ａ，１３ｂが設けられており、当該ＬＣＤ付きＤＶＤプレーヤ１００が種々の動作を行うために操作される。本体部１０の上面後方にはＬＣＤパネル２０が取り付けられている。
【００１５】
このＬＣＤパネル２０はセンターＬＣＤパネル２１，レフトＬＣＤパネル２２及びライトＬＣＤパネル２３で構成されている。センターＬＣＤパネル２１は開閉ヒンジ１４を介して本体部１０上面に取り付けられており、本体部１０上面に対して対向自在となされている。センターＬＣＤパネル２１は本体部１０上面と略一致する大きさとなされている。センターＬＣＤパネル２１の前面、つまりセンターＬＣＤパネル２１の閉状態時における本体部１０上面と対向する面には、情報を表示するためのセンターＬＣＤ２６が設けられている。
【００１６】
このセンターＬＣＤパネル２１の一方側面にはレフトＬＣＤパネル２２が折畳みヒンジ２４ａ，２４ｂを介して取り付けられており、センターＬＣＤ２６方向にレフトＬＣＤパネル２２が折畳み自在となされている。このレフトＬＣＤパネル２２の前面には情報を表示するためのレフトＬＣＤ２７が設けられている。レフトＬＣＤ２７はレフトＬＣＤパネル２２の開状態時にセンターＬＣＤ２６と同一面内に位置すると共に、センターＬＣＤ２６に近接するように設けられている。
【００１７】
また、センターＬＣＤパネル２１の他方側面にはライトＬＣＤパネル２３が折畳みヒンジ２４ｃ，２４ｄを介して取り付けられており、センターＬＣＤ２６方向にライトＬＣＤパネル２３が折畳み自在となされている。このライトＬＣＤパネル２３の前面には情報を表示するためのライトＬＣＤ２８が設けられている。ライトＬＣＤ２８はライトＬＣＤパネル２３の開状態時にセンターＬＣＤ２６と同一面内に位置すると共に、センターＬＣＤ２６に近接するように設けられている。
【００１８】
そして、これらセンターＬＣＤ２６，レフトＬＣＤ２７及びライトＬＣＤ２８の３つのＬＣＤは各々が電気的に接続されており、恰も１つの集合ＬＣＤ２５を構成するようになされている。この集合ＬＣＤ２５はディスク再生装置１２で再生された情報を表示するようになされている。
【００１９】
ここで、センターＬＣＤパネル２１の閉状態時に、折畳みヒンジ２４ａ，２４ｂと対向する本体部１０上面にはレフトＬＣＤパネル２２を収納するためのパネル収納部３０ａが凹設されている。また、折畳みヒンジ２４ｃ，２４ｄと対向する本体部１０上面にはライトＬＣＤパネル２３を収納するためのパネル収納部３０ｂが凹設されている。
【００２０】
次に、第１実施形態としてのＬＣＤ付きＤＶＤプレーヤ１００の動作例について収納例をもとに説明する。
【００２１】
図２はＬＣＤ付きＤＶＤプレーヤ１００の収納例（その１）を、図３はその収納例（その２）を示す斜視図である。図２に示すように、まずレフトＬＣＤパネル２２及びライトＬＣＤパネル２３をセンターＬＣＤ２６方向に直角に折り曲げる。次に、センターＬＣＤパネル２１を本体部１０上面方向に傾倒して閉状態とする。このときレフトＬＣＤパネル２２はパネル収納部３０ａに収納され、且つライトＬＣＤパネル２３はパネル収納部３０ｂに収納されて図３のようになる。
【００２２】
これにより、レフトＬＣＤ２７はパネル収納部３０ａによって保護され、ライトＬＣＤ２８はパネル収納部３０ｂによって保護され、センターＬＣＤ２６は本体部１０上面と対向することで保護される。且つ、センターＬＣＤパネル２１は本体部１０上面と略一致する大きさであるためＬＣＤパネル２０が本体部１０上面から異常に突出することもない。
【００２３】
また、ＬＣＤパネル２０を開くときはセンターＬＣＤパネル２１を本体部１０上面に対して開蓋して、その後、レフトＬＣＤパネル２２及びライトＬＣＤパネル２３をセンターＬＣＤパネル２１に対して左右に広げることで容易に開作業を行うことができる。
【００２４】
このように第１実施形態としてのＬＣＤ付きＤＶＤプレーヤによれば、センターＬＣＤパネル２１，レフトＬＣＤパネル２２及びライトＬＣＤパネル２３で構成されたＬＣＤパネル２０を本体部１０上面に対して対向自在に設け、レフトＬＣＤパネル２６及びライトＬＣＤパネル２３をセンターＬＣＤパネル２１に対して折り曲げて、センターＬＣＤパネル２１を本体部１０上面に対して閉じることでレフトＬＣＤパネル２２及びライトＬＣＤパネル２３を本体部１０上面のパネル収納部３０ａ，３０ｂに収納することができるので、本体部１０より大きい表ＬＣＤパネル２０であっても、集合ＬＣＤ２５を保護しつつ本体部１０に収納することができる。
【００２５】
従って、電子機器のコンパクト化及び表示画面の保護といった従来機能を維持しつつ、本体部１０に対する集合ＬＣＤ２５の大型化を実現できる。これにより、比較的小型に構成された本体部１０に対して大型の横長画面（縦横比９：１６）を配置することも可能になる。
【００２６】
（２）第２実施形態
図４は第２実施形態としてのＬＣＤ付きＤＶＤプレーヤ２００の構成例を示す斜視図である。この実施形態では、第２の表示部の表示画面は第１の表示部の表示画面と対向し、第３の表示部背面は第１の表示部背面と対向し、第３の表示部の表示画面は本体部と対向するように折り畳まれ、且つ本体部に駆動機構を設けて第２及び第３の表示部が第１の表示部の本体部に対する傾動に伴って、各々折り畳み方向に回動されるようにしたものである。
【００２７】
図４に示すＬＣＤ付きＤＶＤプレーヤ２００は本体部２１０を有している。この本体部２１０は矩形状を有し、その底面には台座２１１が設けられている。この本体部２１０の上面にはディスク再生装置（図示せず）が埋設されており、このディスク再生装置でＤＶＤやＣＤ（Compact Disc）等の光ディスクが再生される。また本体部２１０の前面には操作部２１３が設けられており、当該ＬＣＤ付きＤＶＤプレーヤ２００が種々の動作を行うために操作される。本体部２１０の上面前方にはＬＣＤパネル２２０が取り付けられている。
【００２８】
このＬＣＤパネル２２０はセンターＬＣＤパネル２２１，レフトＬＣＤパネル２２２及びライトＬＣＤパネル２２３で構成されている。センターＬＣＤパネル２２１は開閉ヒンジ２１４を介して本体部２１０上面に取り付けられており、本体部２１０上面に対して対向自在となされている。センターＬＣＤパネル２２１は本体部２１０上面と略一致する大きさとなされている。センターＬＣＤパネル２２１の前面、つまりセンターＬＣＤパネル２１の閉状態時に上方に位置する面には、情報を表示するためのセンターＬＣＤ２２６が設けられている。
【００２９】
このセンターＬＣＤパネル２２１の一方側面にはレフトＬＣＤパネル２２２が折畳みヒンジ２２４ａ，２２４ｂを介して取り付けられており、センターＬＣＤパネル２２１前面にレフトＬＣＤパネル２２前面が対向するように折畳み自在となされている。このレフトＬＣＤパネル２２２の前面には情報を表示するためのレフトＬＣＤ２２７が設けられている。レフトＬＣＤ２２７はレフトＬＣＤパネル２２２の開状態時にセンターＬＣＤ２２６と同一面内に位置すると共に、センターＬＣＤ２６に近接するように設けられている。
【００３０】
また、センターＬＣＤパネル２２１の他方側面にはライトＬＣＤパネル２２３が折畳みヒンジ２２４ｃ，２２４ｄを介して取り付けられており、センターＬＣＤ２２１背面にライトＬＣＤパネル２２３背面が対向するように折畳み自在となされている。このライトＬＣＤパネル２２３の前面には情報を表示するためのライトＬＣＤ２２８が設けられている。ライトＬＣＤ２２８はライトＬＣＤパネル２２３の開状態時にセンターＬＣＤ２６と同一面内に位置すると共に、センターＬＣＤ２６に近接するように設けられている。
【００３１】
そして、これらセンターＬＣＤ２２６，レフトＬＣＤ２２７及びライトＬＣＤ２２８の３つのＬＣＤは各々が電気的に接続されており、恰も１つの集合ＬＣＤ２２５を構成するようになされている。この集合ＬＣＤ２２５はディスク再生装置で再生された情報を表示するようになされている。センターＬＣＤパネル２２１の下方内部にはＬＣＤパネル２２０を本体部２１０上面に対して自動で開閉するための駆動機構２３０が設けられている。
【００３２】
図５は駆動機構２３０の構成例を示す断面図である。図５に示すように折畳みヒンジ２２４ｂはセンターＬＣＤパネル２２１に一体的に形成された折畳みヒンジ片２３１ａ及びレフトＬＣＤパネル２２２に一体的に形成された折畳みヒンジ片２３１ｂを有している。この折畳みヒンジ片２３１ｂには折畳み用回転軸２３２ａが突設されている。この折畳み用回転軸２３２ａは折畳みヒンジ片２３１ａに遊挿されており、折畳みヒンジ片２３１ａ内において折畳み用ギア２５１ａが取り付けられている。
【００３３】
この折畳み用ギア２５１ａは歯車列２５２ａを介してギア２５３と噛合されており、このとき折畳み用ギア２５１ａの回転軸が図に於いて垂直方向であることに対してギア２５３の回転軸は図に於いて水平方向となされている。ギア２５３は伝達軸２５４に取り付けられている。伝達軸２５４はセンターＬＣＤパネル２２１内部から開閉ヒンジ２１４内部に至るまで貫通して遊挿されている。開閉ヒンジ２１４内部における伝達軸２５４には駆動伝達ギア２５５が取り付けられている。この駆動伝達ギア２５５は、図示しない駆動モータ等により駆動される連結駆動歯車列２６２と係合されている。
【００３４】
また、折畳みヒンジ２２４ｄはセンターＬＣＤパネル２２１に一体的に形成された折畳みヒンジ片２３１ｃ及びライトＬＣＤパネル２２３に一体的に形成された折畳みヒンジ片２３１ｂを有している。この折畳みヒンジ片２３１ｂには折畳み用回転軸２３２ｂが突設されている。この折畳み用回転軸２３２ｂは折畳みヒンジ片２３１ｃに遊挿されており、折畳みヒンジ片２３１ｃ内において折畳み用ギア２５１ｂが取り付けられている。
【００３５】
この折畳み用ギア２５１ｂは歯車列２５２ｂを介してギア２５７と係合されており、このとき折畳み用ギア２５１ｂの回転軸が図に於いて垂直方向であることに対してギア２５７の回転軸は図に於いて水平方向となされている。ギア２５７は伝達歯車列２５８を介して、伝達軸２５４に取り付けられたギア２５９と係合されている。この伝達歯車列２５８は折畳み用ギア２５１ａと折畳み用ギア２５１ｂとの回動方向を同一にするように構成されている。これにより、連結駆動歯車列２６２が図示しない駆動モータにより回動されることでレフトＬＣＤパネル２２２と共にライトＬＣＤパネル２２３が回動される。
【００３６】
更に、開閉ヒンジ２１４にはセンターＬＣＤパネル２２１に一体的に形成された支軸２６０が貫通して遊挿されている。この開閉ヒンジ２１４内部に於ける支軸２６０には開閉駆動用ギア２６１が取り付けられている。この開閉駆動用ギア２６１は連結駆動歯車列２６２と係合されている。このため、図示しない駆動モータによって連結駆動歯車列２６２が回動されることで、支軸２６０を回動軸としてセンターＬＣＤパネル２２１が傾動される。このとき伝達軸２５４も回動軸を担うようになされている。
【００３７】
上述のように駆動機構２３０を構成することで、例えば図示しない駆動モータで連結駆動歯車列２６２を駆動しなくとも、センターＬＣＤパネル２２１を手動で傾倒することで連結駆動歯車列２６２が駆動されるため、センターＬＣＤパネル２２１の傾倒に伴いレフトＬＣＤパネル２２２及びライトＬＣＤパネル２２３を折畳み方向に回動することができる。なお、図５においてはギア比について言及していないが、勿論、センターＬＣＤパネル２２１に対するレフトＬＣＤパネル２２２とライトＬＣＤパネル２２３との回動速度が同一となるようにギア比が調整されている。
【００３８】
また、センターＬＣＤパネル２２１の傾動スピードに比べてレフトＬＣＤパネル２２２及びライトＬＣＤパネル２２３の回動スピードが速くなるようにギア比が調整されている。なお、駆動機構２３０はこれに限定されるものではなく同じ効果を奏するものであればよい。また、駆動機構３０を設けずに、手動のみでセンターＬＣＤパネル２２１、レフトＬＣＤパネル２２２及びライトＬＣＤパネル２２３を折り畳むようにしてもよい。
【００３９】
次に、第２実施形態としてのＬＣＤ付きＤＶＤプレーヤ２００の動作例について収納例をもとに説明する。
【００４０】
図６は第２実施形態としてのＬＣＤ付きＤＶＤプレーヤ２００の収納例（その１）を示す斜視図であり、図７はその収納例（その２）を示す後方から見た平面図である。図６に示すように例えば操作部２１３の例えば収納スイッチを操作して駆動機構２３０を動作させると、センターＬＣＤパネル２２１がその背面方向に傾動されはじめる。
【００４１】
そして素早く、レフトＬＣＤパネル２２２前面とセンターＬＣＤパネル２２１前面とが対向する方向にレフトＬＣＤパネル２２２が回動される。且つ、ライトＬＣＤパネル２２３背面とセンターＬＣＤパネル２２１背面とが対向する方向にライトＬＣＤパネル２２３が回動される。この後、更にセンターＬＣＤパネル２２１の傾動が進むと、回動されたライトＬＣＤパネル２２３の前面と本体部２１０上面とが対向して図７に示すようにＬＣＤパネル２２０が閉状態となる。
【００４２】
このとき、レフトＬＣＤパネル２２２とセンターＬＣＤパネル２２１との間にはセンターＬＣＤ２２６及びレフトＬＣＤ２２７が位置し、ライトＬＣＤパネル２２７と本体部２１０との間にはライトＬＣＤパネル２２８が位置する。勿論、この収納状態から開状態に自動で行うこともできる。
【００４３】
このように第２実施形態としてのＬＣＤ付きＤＶＤプレーヤ２００によれば、第１の実施形態と同様の効果を得ることができる。加えて、第２実施形態ではレフトＬＣＤパネル２２２及びライトＬＣＤパネル２２３を、センターＬＣＤパネル２２１と同サイズまで大型に構成することができるので、特に表示画面を大型に構成できる。また、自動でＬＣＤパネル２２０を開閉できるので利便性の向上にも貢献できる。
【００４４】
（３）第３実施形態
図８は第３実施形態としてのプロジェクター型ＤＶＤプレーヤ３００の構成例を示す斜視図である。この実施形態では、第１及び第３の表示部を第２の表示部に対して観音開き構造とすると共に、これら３つの表示部に情報を投影するための情報投影手段を本体部に設けたものである。
【００４５】
図８に示すプロジェクター型ＤＶＤプレーヤ３００は矩形状の本体部３１０を有し、その底面には台座３１１が設けられている。この本体部３１０の側面にはディスク再生装置３１２が埋設されており、このディスク再生装置３１２でＤＶＤやＣＤ（Compact Disc）等の光ディスクが再生される。また本体部３１０の前面には操作部３１３が設けられており、当該プロジェクター型ＤＶＤプレーヤ３００が種々の動作を行うために操作される。
【００４６】
そして、本体部３１０上面の中央付近にはプロジェクター装置３８０が設けられており、ディスク再生装置３１２が再生した画像情報をスクリーン等に投影するためのものである。このプロジェクター装置３８０については図９で詳細に説明する。本体部３１０の上面後方にはスクリーンパネル３２０が取り付けられている。
【００４７】
このスクリーンパネル３２０はセンタースクリーンパネル３２１，レフトスクリーンパネル３２２及びライトスクリーンパネル３２３で構成されている。センタースクリーンパネル３２１は開閉ヒンジ３１４を介して本体部３１０上面に取り付けられており、本体部３１０上面に対して対向自在となされている。センタースクリーンパネル３２１は本体部３１０上面と略一致する大きさとなされている。センタースクリーンパネル３２１の前面、つまりセンタースクリーンパネル３２１の閉状態時における本体部３１０上面と対向する面には、情報を表示するためのセンタースクリーン３２６が設けられている。
【００４８】
このセンタースクリーンパネル３２１の一方側面にはレフトスクリーンパネル３２２が折畳みヒンジ３２４ａ，３２４ｂを介して取り付けられており、センタースクリーン３２６方向にレフトスクリーンパネル３２２が折畳み自在となされている。このレフトスクリーンパネル３２２はセンタースクリーンパネル３２１の半分の幅サイズとなされている。
【００４９】
このレフトスクリーンパネル３２２の前面には情報が投影されるためのレフトスクリーン３２７が設けられている。レフトスクリーン３２７はレフトスクリーンパネル３２２の開状態時にセンタースクリーン３２６と同一面内に位置すると共に、センタースクリーン３２６に近接するように設けられている。
【００５０】
また、センタースクリーンパネル３２１の他方側面にはライトスクリーンパネル３２３が折畳みヒンジ３２４ｃ，３２４ｄを介して取り付けられており、センタースクリーン３２６方向にライトスクリーンパネル３２３が折畳み自在となされている。このライトスクリーンパネル３２３はセンタースクリーンパネル３２１の半分の幅サイズとなされている。
【００５１】
このライトスクリーンパネル３２３の前面には情報が投影されるためのライトスクリーン３２８が設けられている。ライトスクリーン３２８はライトスクリーンパネル３２３の開状態時にセンタースクリーン３２６と同一面内に位置すると共に、センタースクリーン３２６に近接するように設けられている。
【００５２】
そして、これらセンタースクリーン３２６，レフトスクリーン３２７及びライトスクリーン３２８の３つのスクリーンは恰も１つの集合スクリーン３２５を構成するようになされている。この集合スクリーン３２５にはディスク再生装置３１２で再生された情報がプロジェクター装置３８０によって投影される。
【００５３】
図９はプロジェクター装置３８０の構成例を示す断面図である。図８に示すようにプロジェクター装置３８０は光源３８１を有し、この光源３８１の上方には透過型ＬＣＤ３８２が設けられている。この透過型ＬＣＤ３８２にはディスク再生装置３１２（図８参照）が再生した情報が表示され、下方の光源３８１が発した光を透過することでその情報を投影するものである。
【００５４】
この透過型ＬＣＤ３８２の上方にはプリズム３８３が所定の角度をもって設けられており、投影される情報を集合スクリーン３２５（図１参照）に導く。このプリズム３８３の上方にはレンズ３８４が設けられている。このレンズ３８４はプリズム３８３によって導かれた情報を鮮明且つ正確に集合スクリーン３２５に投影するために、そのサイズ及びピント等を調整するようになされている。
【００５５】
次に、第３実施形態としてのプロジェクター型ＤＶＤプレーヤ３００の動作例について収納例をもとに説明する。
【００５６】
図１０はプロジェクター型ＤＶＤプレーヤ３００の収納例を示す斜視図である。図１０に示すように、まずレフトスクリーンパネル３２２及びライトスクリーンパネル３２３をセンタースクリーン３２６方向に回動する。このとき、レフトスクリーンパネル３２２及びライトスクリーンパネル３２３の幅サイズはセンタースクリーンパネル３２１の幅サイズの半分であるため、レフトスクリーンパネル３２２及びライトスクリーンパネル３２３の前面でセンタースクリーンパネル３２１の前面を覆う。この後、センタースクリーンパネル３２１を本体部３１０上面方向に傾倒して閉状態とする。
【００５７】
また、スクリーンパネル３２０を開くときはセンタースクリーンパネル３２１を本体部３１０上面に対して開蓋して、その後、レフトスクリーンパネル３２２及びライトスクリーンパネル３２３をセンタースクリーンパネル３２１に対して左右に広げることで容易に開作業を行うことができる。
【００５８】
このように第３実施形態としてのプロジェクター型ＤＶＤプレーヤ３００によれば、第１実施形態と同様の効果を得ることができる。
【００５９】
なお、上述した第１、第２及び第３実施形態において、表示手段を３つの表示部で構成したがこれに限定されるものではない。また、第１及び第３実施形態において第２実施形態の如く表示手段の開閉を自動化してもよい。更に、第１及び第２実施形態において第３実施形態で説明したプロジェクター装置を用いても良いし、第３実施形態においてＬＣＤを使用してもよい。
【００６０】
【発明の効果】
以上説明したように、本発明によれば、情報を表示する表示画面を有した表示手段を本体部に設け、この表示手段が本体部の上面に回動自在に取り付けられると共に折り畳み可能に構成されるものである。
【００６１】
この構成によって、本体部より大きい表示手段であっても、表示画面を保護しつつ本体部に収納することができる。
【００６２】
従って、電子機器のコンパクト化及び表示画面の保護といった従来機能を維持しつつ、本体部に対する表示画面の大型化を実現できる。
【００６３】
この発明は、液晶ディスプレイ等が開閉自在に設けられたＤＶＤ（Digital Versatile Disc）プレーヤ及びＰＣ（Personal Computer）等の表示機能付き電子機器に適用して極めて好適である。
【図面の簡単な説明】
【図１】本発明に係る第１実施形態としてのＬＣＤ付きＤＶＤプレーヤ１００の構成例を示す斜視図である。
【図２】そのＬＣＤ付きＤＶＤプレーヤ１００の収納例（その１）を示す斜視図である。
【図３】そのＬＣＤ付きＤＶＤプレーヤ１００の収納例（その２）を示す斜視図である。
【図４】第２実施形態としてのＬＣＤ付きＤＶＤプレーヤ２００の構成例を示す斜視図である。
【図５】その駆動機構２３０の構成例を示す断面図である。
【図６】そのＬＣＤ付きＤＶＤプレーヤ２００の収納例（その１）を示す斜視図である。
【図７】そのＬＣＤ付きＤＶＤプレーヤ２００の収納例（その２）を示す後方から見た平面図である。
【図８】第３実施形態としてのプロジェクター型ＤＶＤプレーヤ３００の構成例を示す斜視図である。
【図９】そのプロジェクター装置３８０の構成例を示す断面図である。
【図１０】そのプロジェクター型ＤＶＤプレーヤ３００の収納例を示す斜視図である。
【符号の説明】
１０，２１０，３１０  本体部
２０，２２０，３２０  ＬＣＤパネル（表示手段）
２１，２２１，３２１  センターＬＣＤパネル（第１の表示部）
２２，２２２，３２２  レフトＬＣＤパネル（第２の表示部）
２３，２２３，３２３  ライトＬＣＤパネル（第３の表示部）
２５，２２５，３２５  集合ＬＣＤ（表示画面）
２６，２２６，３２６  センターＬＣＤ（表示画面）
２７，２２７，３２７  レフトＬＣＤ（表示画面）
２８，２２８，３２８  ライトＬＣＤ（表示画面）
３０ａ，３０ｂ  パネル収納部（収納部）
１００  第１実施形態としてのＬＣＤ付きＤＶＤプレーヤ
２００  第２実施形態としてのＬＣＤ付きＤＶＤプレーヤ
３００  第３実施形態としてのプロジェクター型ＤＶＤプレーヤ
３８０  プロジェクター装置（撮像手段）
【図１】
0004622029.tif 000002
【図２】
0004622029.tif 000003
【図３】
0004622029.tif 000004
【図４】
0004622029.tif 000005
【図５】
0004622029.tif 000006
【図６】
0004622029.tif 000007
【図７】
0004622029.tif 000008
【図８】
0004622029.tif 000009
【図９】
0004622029.tif 000010
【図１０】
0004622029.tif 000011